(57)【要約】【課題】所望のレイアウトのコンテンツを容易且つ安全に作成する。【解決手段】コンテンツ管理装置３は、コンテンツの一部を構成するパーツを複数記憶する記憶部３２と、記憶部３２から選択され、それぞれ所望の位置に配置された複数のパーツを組み合わせて、コンテンツを作成する制御部３３と、を備える。ここで、パーツは、コンテンツの表示に必須で、ユーザである事業者による編集が制限された必須パーツであるシステムパーツと、ユーザである事業者によって作成され、任意に追加可能な任意パーツであるデザインパーツと、を含んでいる。そして、制御部３３は、所定の位置に配置されたシステムパーツを並べ替えるとともに、システムパーツの間にデザインパーツを配置して、コンテンツを作成する。【選択図】図９
2019204184.tif 000002
【特許請求の範囲】
【請求項１】
コンテンツの一部を構成するパーツを複数記憶する記憶部と、
前記記憶部から選択され、それぞれ所望の位置に配置された複数のパーツを組み合わせて、前記コンテンツを作成するコンテンツ作成手段と、
を備えるコンテンツ管理装置。
【請求項２】
前記パーツは、前記コンテンツの表示に必須で、ユーザによる編集が制限された必須パーツと、前記ユーザによって作成され、任意に追加可能な任意パーツと、を含み、
前記コンテンツ作成手段は、前記必須パーツの間に前記任意パーツを配置して、前記コンテンツを作成する、
ことを特徴とする請求項１に記載のコンテンツ管理装置。
【請求項３】
前記コンテンツ作成手段は、所定の位置に配置された前記必須パーツを並べ替えるとともに、該必須パーツの間に前記任意パーツを配置して、前記コンテンツを作成する、
ことを特徴とする請求項２に記載のコンテンツ管理装置。
【請求項４】
予め用意された複数種類のフォーマットのうちから、選択された該フォーマットに対応した任意パーツ作成画面を表示し、該任意パーツ作成画面において設定された内容に対応する前記任意パーツを作成する第１任意パーツ作成手段をさらに備える、
ことを特徴とする請求項２又は３に記載のコンテンツ管理装置。
【請求項５】
前記任意パーツが分類されるグループをメニューとして設定するためのメニュー設定画面を表示し、該メニュー設定画面において設定された該グループに分類される該任意パーツを前記記憶部から検出し、該検出した任意パーツをそれぞれ対応するグループにリンクさせて、該グループをメニューとして表示する新たな任意パーツを作成する第２任意パーツ作成手段をさらに備える、
ことを特徴とする請求項２，３，又は４に記載のコンテンツ管理装置。
【請求項６】
前記記憶部から選択され、それぞれ所望の位置に配置された複数の任意パーツを組み合わせて、新たな任意パーツを作成する第３任意パーツ作成手段をさらに備える、
ことを特徴とする請求項２乃至５のいずれか１項に記載のコンテンツ管理装置。
【請求項７】
デバイスの種類毎に、該デバイスに表示するコンテンツを設定するコンテンツ設定手段と、
前記デバイスからアクセスされたことに応答して、該デバイスの種類を特定し、該特定したデバイスの種類に対応して設定されている前記コンテンツを前記デバイスに表示する第１コンテンツ表示手段と、
をさらに備えることを特徴とする請求項１乃至６のいずれか１項に記載のコンテンツ管理装置。
【請求項８】
前記コンテンツ作成手段によって作成した前記コンテンツを表示する第２コンテンツ表示手段をさらに備え、
前記コンテンツ作成手段は、第１条件に合致した場合に表示される第１任意パーツと、該第１条件とは異なる第２条件に合致した場合に表示される第２任意パーツと、を組み合わせて前記コンテンツを作成し、
前記第２コンテンツ表示手段は、前記第１条件に合致している場合、前記第１任意パーツを前記コンテンツに表示する一方で、前記第２条件に合致している場合、前記第２任意パーツを該コンテンツに表示する、
ことを特徴とする請求項１乃至７のいずれか１項に記載のコンテンツ管理装置。
【請求項９】
コンテンツの一部を構成するパーツを複数記憶する記憶部を備えるコンテンツ管理装置によるコンテンツ管理方法であって、
前記記憶部から選択され、それぞれ所望の位置に配置された複数のパーツを組み合わせて、前記コンテンツを作成するコンテンツ作成ステップを備えるコンテンツ管理方法。
【請求項１０】
コンテンツの一部を構成するパーツを複数記憶する記憶部を備えるコンテンツ管理装置のコンピュータに、
前記記憶部から選択され、それぞれ所望の位置に配置された複数のパーツを組み合わせて、前記コンテンツを作成するコンテンツ作成手順を実行させるためのプログラム。
【発明の詳細な説明】
【技術分野】
【０００１】
本発明は、コンテンツ管理装置、コンテンツ管理方法、及びプログラムに関し、特に、所望のレイアウトのコンテンツを容易且つ安全に作成可能なコンテンツ管理装置、コンテンツ管理方法、及びプログラムに関する。
【背景技術】
【０００２】
ＥＣ（Electronic Commerce）サイトの一部であるウェブページとしては、システムで制御する必要のあるコンテンツの周囲（上下左右または間）に、ユーザが独自に追加するコンテンツが表示される領域を規定したものが知られている。
【０００３】
その他、ウェブページの全体を編集可能とし、システム制御構造とユーザが独自に追加するコンテンツとを同時に編集させるものもある（例えば特許文献１参照）。ここで、システム制御構造とは、ＥＣサイトのシステムで制御する部分で、例えば繰返表示や条件分岐を指す。繰返表示では、商品一覧ページでは条件に合致した商品の情報の一部または全部を、既定の件数まで表示する。条件分岐とは、商品ページで在庫数の有無や残り在庫数によって表示を変更する。
【先行技術文献】
【特許文献】
【０００４】
【特許文献１】特開２００４−２１８３８号公報
【発明の概要】
【発明が解決しようとする課題】
【０００５】
前者の方法では、既定されたコンテンツ領域の配置の変更は不可能であり、ユーザの表示上の主旨にそぐわない場合があった。このため、ＥＣサイトのコンテンツ表現を制限してしまうといった課題がある。
【０００６】
また、後者の方法は、システム制御構造も含めてコンテンツを編集する必要があり、システム制御構造を実現する独自な記述の知識をユーザに要求するものであった。また、後者の方法では、ユーザがシステム制御構造を誤って変更してしまうと、電子商取引が正しく実現できなくなるおそれもある。
【０００７】
本発明は、上記の課題を解決するためになされたものであって、所望のレイアウトのコンテンツを容易且つ安全に作成可能なコンテンツ管理装置、コンテンツ管理方法、及びプログラムを提供することを目的とする。
【課題を解決するための手段】
【０００８】
上記の目的を達成するため、本発明の第１の観点に係るコンテンツ管理装置は、コンテンツの一部を構成するパーツを複数記憶する記憶部と、前記記憶部から選択され、それぞれ所望の位置に配置された複数のパーツを組み合わせて、前記コンテンツを作成するコンテンツ作成手段と、を備える。
【０００９】
また、上記のコンテンツ管理装置において、前記パーツは、前記コンテンツの表示に必須で、ユーザによる編集が制限された必須パーツと、前記ユーザによって作成され、任意に追加可能な任意パーツと、を含み、前記コンテンツ作成手段は、前記必須パーツの間に前記任意パーツを配置して、前記コンテンツを作成する、ようにしてもよい。
【００１０】
さらに、上記のコンテンツ管理装置において、前記コンテンツ作成手段は、所定の位置に配置された前記必須パーツを並べ替えるとともに、該必須パーツの間に前記任意パーツを配置して、前記コンテンツを作成する、ようにしてもよい。
【００１１】
また、上記のコンテンツ管理装置は、予め用意された複数種類のフォーマットのうちから、選択された該フォーマットに対応した任意パーツ作成画面を表示し、該任意パーツ作成画面において設定された内容に対応する前記任意パーツを作成する第１任意パーツ作成手段をさらに備える、ものであってもよい。
【００１２】
さらに、上記のコンテンツ管理装置は、前記任意パーツが分類されるグループをメニューとして設定するためのメニュー設定画面を表示し、該メニュー設定画面において設定された該グループに分類される該任意パーツを前記記憶部から検出し、該検出した任意パーツをそれぞれ対応するグループにリンクさせて、該グループをメニューとして表示する新たな任意パーツを作成する第２任意パーツ作成手段をさらに備える、ものであってもよい。
【００１３】
また、上記のコンテンツ管理装置は、前記記憶部から選択され、それぞれ所望の位置に配置された複数の任意パーツを組み合わせて、新たな任意パーツを作成する第３任意パーツ作成手段をさらに備える、ものであってもよい。
【００１４】
さらに、上記のコンテンツ管理装置は、デバイスの種類毎に、該デバイスに表示するコンテンツを設定するコンテンツ設定手段と、前記デバイスからアクセスされたことに応答して、該デバイスの種類を特定し、該特定したデバイスの種類に対応して設定されている前記コンテンツを前記デバイスに表示する第１コンテンツ表示手段と、をさらに備えるものであってもよい。
【００１５】
また、上記のコンテンツ管理装置は、前記コンテンツ作成手段によって作成した前記コンテンツを表示する第２コンテンツ表示手段をさらに備え、前記コンテンツ作成手段は、第１条件に合致した場合に表示される第１任意パーツと、該第１条件とは異なる第２条件に合致した場合に表示される第２任意パーツと、を組み合わせて前記コンテンツを作成し、前記第２コンテンツ表示手段は、前記第１条件に合致している場合、前記第１任意パーツを前記コンテンツに表示する一方で、前記第２条件に合致している場合、前記第２任意パーツを該コンテンツに表示する、ようにしてもよい。
【００１６】
本発明の第２の観点に係るコンテンツ管理方法は、コンテンツの一部を構成するパーツを複数記憶する記憶部を備えるコンテンツ管理装置によるコンテンツ管理方法であって、前記記憶部から選択され、それぞれ所望の位置に配置された複数のパーツを組み合わせて、前記コンテンツを作成するコンテンツ作成ステップを備える。
【００１７】
本発明の第３の観点に係るプログラムは、コンテンツの一部を構成するパーツを複数記憶する記憶部を備えるコンテンツ管理装置のコンピュータに、前記記憶部から選択され、それぞれ所望の位置に配置された複数のパーツを組み合わせて、前記コンテンツを作成するコンテンツ作成手順を実行させる。
【発明の効果】
【００１８】
本発明によれば、所望のレイアウトのコンテンツを容易且つ安全に作成可能なコンテンツ管理装置、コンテンツ管理方法、及びプログラムを提供することができる。
【図面の簡単な説明】
【００１９】
【図１】コンテンツ管理システムの構成例を示すブロック図である。
【図２】事業者端末の構成例を示すブロック図である。
【図３】パターンパーツ作成画面の表示例を示す図である。
【図４】メニューパーツ作成画面の表示例を示す図である。
【図５】パネルパーツ作成画面の表示例を示す図である。
【図６】テーマ一覧画面の表示例を示す図である。
【図７】商品ページのレイアウト設定画面の表示例を示す図である。
【図８】デバイス設定画面の表示例を示す図である。
【図９】コンテンツ管理装置の構成例を示すブロック図である。
【図１０】制御部の機能を例示するブロック図である。
【図１１】パターンパーツの作成例を示す図である。
【図１２】メニューパーツの作成例を示す図である。
【図１３】パネルパーツの作成例を示す図である。
【図１４】レイアウトの変更例を示す図である。
【図１５】消費者端末の構成例を示すブロック図である。
【図１６】コンテンツ管理処理の一例を示すフローチャートである。
【図１７】パターンパーツ作成処理の詳細を示すフローチャートである。
【図１８】メニューパーツ作成処理の詳細を示すフローチャートである。
【図１９】コンテンツ表示処理の詳細を示すフローチャートである。
【発明を実施するための形態】
【００２０】
以下、本発明を実施するための形態について説明する。
【００２１】
まず、本発明の実施形態に係るコンテンツ管理システムの構成について図面を参照しつつ説明する。
【００２２】
本実施形態に係るコンテンツ管理システムは、クラウドコンピューティングを利用して、独自ドメインのＥＣ（Electronic Commerce）サイトを構築・運営するためのものである。
【００２３】
本実施形態において、ＥＣサイトとは、いわゆるオンラインショッピングモールとは異なり、コンテンツ管理システムのユーザである各小売事業者（以下、単に「事業者」という。）が、自社の管理下にあるドメインを利用して構築運用する、独立した電子商取引用のウェブサイトを指す。このようなＥＣサイトには、複数種類の様々な商品が掲載される。
【００２４】
また、コンテンツとは、ＥＣサイトの一部であるウェブページを構成するＨＴＭＬ（Hyper Text Markup Language）タグ、画像、スタイルシート、並びに電子商取引の主体たる商品情報のデータ及びそれらの適切な表示等を指す。この適切な表示には、商品情報の表示のみならず、表示上の装飾等のデザインも含まれる。そして、ＥＣサイトには、商品情報の検索、一覧表示、詳細表示、一時保管、注文、及び個人情報管理等といったコンテンツ管理システムで制御する必要のある「システムコンテンツ」と、事業者が独自に追加する商品情報や店舗情報に付随した「デザインコンテンツ」と、の二種類が存在する。コンテンツは、「パーツ」という単位に分けて管理される。ここで、システムコンテンツのパーツは、「システムパーツ（必須パーツ）」といい、デザインコンテンツのパーツは、「デザインパーツ（任意パーツ）」という。なお、本発明のコンテンツは、上記のものに限定されるものではなく、ウェブサイトに表示可能なものであれば任意である。
【００２５】
図１は、本実施形態に係るコンテンツ管理システムの構成例を示す図である。
【００２６】
図１に示すように、コンテンツ管理システム１は、複数の事業者端末２−１、２−２、…、２−ｉ（ｉは自然数）と、コンテンツ管理装置３と、複数の消費者端末４−１、４−２、…、４−ｊ（ｊは自然数）と、を具備し、インターネット等のネットワークＮを介して相互に通信可能に接続されている。
【００２７】
事業者端末２−ｉは、例えば汎用のパーソナルコンピュータ、タブレットコンピュータ、又はスマートフォン等から構成され、事業者が、ネットワークＮを介してコンテンツ管理装置３上で、各種操作を行うためのものである。
【００２８】
図２は、事業者端末の構成例を示すブロック図である。
【００２９】
図２に示すように、事業者端末２−ｉは、表示部２１と、操作部２２と、通信部２３と、制御部２４と、を備え、これらはバス等を介して接続されている。
【００３０】
表示部２１は、例えば汎用の液晶表示装置（Liquid Crystal Display：ＬＣＤ）等から構成され、ウェブブラウザ上にコンテンツを管理するための管理画面等を表示する。
【００３１】
本実施形態において、管理画面には、事業者がＨＴＭＬタグ及びＣＳＳ（Cascading Style Sheets）といった記述方法で自由にデザインパーツを作成するためのフリーパーツ作成画面、デザインパーツを作成するためのフォーマットを選択するためのフォーマット選択画面、事業者が選択したフォーマットに従って独自に追加するデザインパーツを作成するためのパターンパーツ作成画面、ＥＣサイトの各商品ページにリンクするメニューパーツを作成するためのメニューパーツ作成画面、複数のデザインパーツから新たなデザインパーツ（以下、「パネルパーツ」という。）を作成するためのパネルパーツ作成画面、並びに各デザインパーツを表示する表示条件を設定するための表示条件設定画面等が含まれる。
【００３２】
また、管理画面には、ウェブページに表示されるコンテンツのテーマを一覧にして表示するテーマ一覧画面、レイアウトを変更するコンテンツを選択するためのコンテンツ選択画面、レイアウト上の任意の位置にシステムパーツ及びデザインパーツを配置するためのレイアウト設定画面、並びにデバイス設定画面等も含まれる。
【００３３】
図３は、パターンパーツ作成画面の表示例を示す図である。
【００３４】
図３に示すように、パターンパーツ作成画面３００には、事業者によって選択されたフォーマットに対応して、デザインパーツの「名称」、「見出し」、「本文」、及び「リンク先」等を入力するためのテキストボックス３１０、ウェブページに表示される画像を選択するための画像ボックス３２０、並びにデザインパーツの作成を指示するためのデザインパーツ作成アイコン３３０等が表示される。
【００３５】
その他、パターンパーツ作成画面３００には、事業者によって選択されたフォーマットに対応して、「グループ情報」を入力するテキストボックス３１０が表示されてもよい。ここで、グループ情報は、商品が分類されるグループを示すものである。例えば、「カットソー」、「Ｔシャツ」、及び「タンクトップ」等の商品のデザインパーツのグループ情報には、これらの商品が分類されるグループとして「トップス」が入力され、「レギュラー」及び「ボタンダウン」等の商品のデザインパーツのグループ情報には、これらの商品が分類されるグループとして「シャツ」が入力される。
【００３６】
図４は、メニューパーツ作成画面の表示例を示す図である。
【００３７】
図４に示すように、メニューパーツ作成画面４００には、「トップス」、「ボトムス」、「スーツ」、「シャツ」、「ネクタイ」、「アウター」、及び「雑貨」等のグループ情報がメニュー４１０として設定されるとともに、メニューパーツの作成を指示するためのメニューパーツ作成アイコン４２０等が表示される。
【００３８】
図５は、パネルパーツ作成画面の表示例を示す図である。
【００３９】
図５に示すように、パネルパーツ作成画面５００には、「メニュー上バナー」、「メニュー」、及び「メニュー下バナー」等の複数のデザインパーツ５１０が、それぞれ任意の位置に配置されるとともに、パネルパーツの作成を指示するためのパネルパーツ作成アイコン５２０等が表示される。
【００４０】
図６は、テーマ一覧画面の表示例を示す図である。
【００４１】
図６に示すように、テーマ一覧画面６００には、テーマ６１０−１，６１０−２，…，６１０−ｋ（ｋは自然数）が一覧にして表示される。テーマ６１０−ｋには、スマートフォンの表示に利用可能なスマートフォン用テーマ、タブレットコンピュータの表示に利用可能なタブレット用テーマ、パーソナルコンピュータの表示に利用可能なＰＣ（Personal Computer）用テーマ、タブレットコンピュータ及びパーソナルコンピュータの表示に利用可能なタブレット／ＰＣ用テーマ、並びにスマートフォン、タブレットコンピュータ、及びパーソナルコンピュータ等のいずれのデバイスの表示にも利用可能な共通利用テーマ等が含まれている。また、各テーマ６１０−ｋには、そのテーマのデザインコンテンツのレイアウトを設定するためのレイアウト設定アイコン６１１−ｋ等が設けられている。さらに、テーマ一覧画面６００には、各デバイスに表示するテーマを設定するためのデバイス設定アイコン６２０が設けられている。
【００４２】
図７は、商品ページのレイアウト設定画面の表示例を示す図である。
【００４３】
図７に示すように、商品ページのレイアウト設定画面７００には、「商品名表示部７１１」、「商品価格表示部７１２」、「商品画像表示部７１３」、「商品バリエーション選択とカートに入れるボタン７１４」、及び「商品説明表示部７１５」等のコンテンツ管理システム１で制御する必要のある複数のシステムパーツ７１０、並びに「商品補足情報表示部７２１」、「商品価格補足情報表示部７２２」、及び「商品注文補足情報表示部７２３」等の事業者が独自に追加したデザインパーツ７２０等が、それぞれ任意の位置に配置されるとともに、コンテンツの作成を指示するためのコンテンツ作成アイコン７３０等が表示される。
【００４４】
図８は、デバイス設定画面の表示例を示す図である。
【００４５】
図８に示すように、デバイス設定画面８００には、スマートフォンに表示されるコンテンツを設定するためのスマートフォン設定タブ８１０、タブレットコンピュータに表示されるコンテンツを設定するためのタブレット設定タブ８２０、及びパーソナルコンピュータに表示されるコンテンツを設定するためのＰＣ設定タブ８３０等が設けられている。
【００４６】
図２に示す操作部２２は、例えば汎用のキーボードやマウス等から構成され、事業者によって操作される。
【００４７】
事業者は、表示部２１に表示されるウェブブラウザ上で、操作部２２を操作して、コンテンツ管理装置３のＵＲＬ（Uniform Resource Locator）を入力する等して、コンテンツ管理装置３にアクセスする。
【００４８】
フォーマット選択画面において、事業者は、操作部２２を操作して、ネットワークＮを介してコンテンツ管理装置３上で、複数種類のフォーマットのうちから、デザインパーツの作成に利用するフォーマットを選択する。
【００４９】
図３に示すパターンパーツ作成画面３００において、事業者は、操作部２２を操作して、ネットワークＮを介してコンテンツ管理装置３上で、デザインパーツの名称、見出し、本文、リンク先、及びグループ情報等を、それぞれ対応するテキストボックス３１０に入力するとともに、画像ボックス３２０でウェブページに表示する画像を選択した後、デザインパーツ作成アイコン３３０をクリックする。
【００５０】
図４に示すメニューパーツ作成画面４００において、事業者は、操作部２２を操作して、ネットワークＮを介してコンテンツ管理装置３上で、グループ情報をメニュー４１０として設定した後、メニューパーツ作成アイコン４２０をクリックする。
【００５１】
図５に示すパネルパーツ作成画面５００において、事業者は、操作部２２を操作して、ネットワークＮを介してコンテンツ管理装置３上で、複数のデザインパーツ５１０を、それぞれ任意の位置に配置した後、パネルパーツ作成アイコン５２０をクリックする。
【００５２】
表示条件設定画面において、事業者は、操作部２２を操作して、ネットワークＮを介してコンテンツ管理装置３上で、各デザインパーツの表示条件を設定することができる。表示条件は、例えば、消費者のデータや、商品の属性情報、或いは消費者が現在商品を購入予定商品一覧に保存していること等、ＥＣサイトで行われる幅広い情報を対象とすることができる。表示条件は、予め用意されている複数の項目のうちから、選択肢を選択したり、或いは数字を入力したりする等といった簡単な操作で設定されればよい。
【００５３】
図６に示すテーマ一覧画面６００において、事業者は、操作部２２を操作して、ネットワークＮを介してコンテンツ管理装置３上で、レイアウト設定アイコン６１１−ｋ及びデバイス設定アイコン６２０等のクリック等を行う。
【００５４】
コンテンツ選択画面において、事業者は、操作部２２を操作して、ネットワークＮを介してコンテンツ管理装置３上で、レイアウトを変更するコンテンツを選択する。
【００５５】
図７に示すレイアウト設定画面７００において、事業者は、操作部２２を操作して、ネットワークＮを介してコンテンツ管理装置３上で、システムパーツ７１０の配置順を変更するとともに、システムパーツ７１０の間にデザインパーツ７２０を配置した後、コンテンツ作成アイコン７３０をクリックする。
【００５６】
図８に示すデバイス設定画面８００において、事業者は、操作部２２を操作して、ネットワークＮを介してコンテンツ管理装置３上で、スマートフォン設定タブ８１０でスマートフォンに表示されるコンテンツのテーマを、タブレット設定タブ８２０でタブレットコンピュータに表示されるコンテンツのテーマを、及びＰＣ設定タブ８３０でパーソナルコンピュータに表示されるコンテンツのテーマを、それぞれ選択する。具体的に、各デバイスに対応したコンテンツの表示を行う場合、スマートフォン設定タブ８１０でスマートフォン用テーマを選択し、タブレット設定タブ８２０でタブレット用テーマを選択し、ＰＣ設定タブ８３０でＰＣ用テーマを選択すればよい。これに対して、各デバイスに共通したコンテンツの表示を行う場合には、スマートフォン設定タブ８１０、タブレット設定タブ８２０、及びＰＣ設定タブ８３０で共通利用テーマを選択すればよい。これにより、事業者は、デバイス毎にコンテンツを用意することも、デバイスに共通して利用する一のコンテンツのみを用意することもできる。
【００５７】
図２に示す通信部２３は、例えばＮＩＣ（Network Interface Card）等の汎用の通信装置を含んで構成される。本実施形態において、通信部２３は、コンテンツ管理装置３からネットワークＮを介して送信される管理画面を表示するための画面表示データ等を受信したり、事業者による操作部２２の操作に対応した操作信号等をネットワークＮを介してコンテンツ管理装置３に送信したりする。
【００５８】
制御部２４は、例えばＣＰＵ（Central Processing Unit）、ＲＯＭ（Read Only Memory）、及びＲＡＭ（Random Access Memory）等から構成されている。ＣＰＵは、ＲＡＭをワークメモリとして用いて、ＲＯＭに記憶されている各種プログラム等を適宜実行することにより、事業者端末２−ｉの各部の動作を制御する。
【００５９】
本実施形態において、制御部２４は、コンテンツ管理装置３からネットワークＮを介して送信される画面表示データを通信部２３で受信したことに応答して、画面表示データに基づく管理画面をウェブブラウザ上に表示する。また、制御部２４は、事業者による操作部２２の操作に対応した操作信号を通信部２３からネットワークＮを介してコンテンツ管理装置３に送信することで、事業者によるネットワークＮを介したコンテンツ管理装置３上での各種操作を可能にする。
【００６０】
図１に示すコンテンツ管理装置３は、例えば汎用のサーバコンピュータ等から構成され、各種データを管理する。
【００６１】
図９は、コンテンツ管理装置の構成例を示すブロック図である。
【００６２】
図９に示すように、コンテンツ管理装置３は、通信部３１と、記憶部３２と、制御部３３と、を備え、これらはバス等を介して接続されている。
【００６３】
通信部３１は、例えばＮＩＣ等の汎用の通信装置を含んで構成される。本実施形態において、通信部３１は、事業者端末２−ｉからネットワークＮを介して送信される操作信号や、消費者端末４−ｊからネットワークＮを介して送信される商品ページ表示要求等を受信したり、画面表示データ等をネットワークＮを介してコンテンツ管理装置３及び消費者端末４−ｊに送信したりする。
【００６４】
記憶部３２は、例えばハードディスクドライブ等の汎用の記憶装置から構成され、ＥＣサイトの一部であるウェブページに表示するコンテンツを管理するためのコンテンツ管理ソフトウェアを記憶する。また、記憶部３２は、事業者がネットワークＮを介して作成したデザインパーツやコンテンツ等を記憶する。
【００６５】
記憶部３２は、ＥＣサイトの会員である消費者の情報を登録する会員情報ＤＢ（DateBase）を記憶する。会員情報ＤＢは、会員である消費者毎に、メールアドレス及びパスワード等といった消費者がＥＣサイトへログインするためのログイン情報、消費者の会員ステージ、消費者自身が購入予定の商品等を保存するための購入予定商品一覧、並びに消費者のアクセス状況等のデータを対応付けて登録する。ここで、会員ステージは、会員である消費者の購入金額や購入回数に基づいて予め設定される属性であって、より上位の属性の消費者に、割引等の優遇措置を行うためのものである。本実施形態において、記憶部３２には、消費者毎に、「ブロンズ会員」、「シルバー会員」、及び「ゴールド会員」等のいずれかの属性が付与され、対応付けて記憶されている。
【００６６】
制御部３３は、例えばＣＰＵ、ＲＯＭ、及びＲＡＭ等から構成されている。ＣＰＵは、ＲＡＭをワークメモリとして用いて、ＲＯＭに記憶されている各種プログラムや記憶部３２に記憶されている各種ソフトウェア等を適宜実行することにより、コンテンツ管理装置３の各部の動作を制御する。
【００６７】
本実施形態において、制御部３３は、画面表示データを通信部３１からネットワークＮを介して事業者端末２−ｉに送信することで、事業者端末２−ｉのウェブブラウザ上に、各種管理画面を表示する。また、制御部３３は、事業者端末２−ｉからネットワークＮを介して送信される操作信号を受信することで、事業者によるネットワークＮを介したコンテンツ管理装置３上での操作信号に対応した操作を可能にする。
【００６８】
制御部３３は、記憶部３２に記憶されているコンテンツ管理ソフトウェアを実行することにより、コンテンツを管理するための各種機能を実現する。
【００６９】
図１０は、制御部の機能ブロック図である。
【００７０】
制御部３３は、コンテンツ管理ソフトウェアを実行することにより、図１０に示すように、デザインパーツ作成手段１０１０、コンテンツ作成手段１０２０、デバイス設定手段１０３０、及びコンテンツ表示手段１０４０等として機能する。
【００７１】
デザインパーツ作成手段１０１０は、事業者がフォーマット選択画面において複数種類のフォーマットのうちから、デザインパーツの作成に利用するフォーマットを選択したことに応答して、そのフォーマットに対応したパターンパーツ作成画面３００を表示するための画面表示データを、通信部３１からネットワークＮを介して事業者端末２−ｉに送信することで、事業者端末２−ｉのウェブブラウザ上に、事業者が選択したフォーマットに対応した図３に示すパターンパーツ作成画面３００を表示する。
【００７２】
デザインパーツ作成手段１０１０は、事業者がパターンパーツ作成画面３００においてデザインパーツの名称、見出し、本文、リンク先、及びグループ情報等を、それぞれ対応するテキストボックス３１０に入力するとともに、画像ボックス３２０でウェブページに表示する画像を選択した後、デザインパーツ作成アイコン３３０をクリックしたことに応答して、デザインパーツを作成して記憶部３２に記憶する。
【００７３】
図１１は、デザインパーツの作成例を示す図である。
【００７４】
図３に示すデザインパーツ作成画面３００において、「名称」、「見出し」、「本文」、及び「リンク先」のテキストボックス３１０に、それぞれ「メニュー上バナー」、「Special SALE開催決定！」、「日頃のご愛顧に感謝して、Special SALEを開催致します。」、「http://example.com/sale/lp.html」が入力されるとともに、画像ボックス３２０で「Special SALE」の画像が選択された場合には、図１１に示すデザインパーツ１１００が作成される。図１１に示すように、デザインパーツ１１００には、テキストボックス３１０に入力された見出し１１１０及び本文１１２０、並びに画像ボックス３２０で選択された画像１１３０等が表示され、画像１１３０をクリックすると、テキストボックス３１０に入力されたリンク先へと移動する。
【００７５】
これにより、事業者は、ＨＴＭＬタグ及びＣＳＳといった記述方法に対する十分な知識や技術を持たない場合、あるいは、専門業者に発注する予算がない場合でも、表示部２１のＧＵＩ（Graphical User Interface）上で、デザインパーツのフォーマットを選択したり、テキストボックス３１０に文字を入力したり、画像ボックス３２０で画像を選択したりする等といった簡単な操作で、ＥＣサイト用のコンテンツのデザインパーツを作成することができる。
【００７６】
図１０に示すデザインパーツ作成手段１０１０は、事業者が図４に示すメニューパーツ作成画面４００においてグループ情報をメニュー４１０として設定した後、メニューパーツ作成アイコン４２０をクリックしたことに応答して、事業者が設定したグループ情報毎に、そのグループ情報が登録されているデザインパーツを記憶部３２から検出する。そして、デザインパーツ作成手段１０１０は、記憶部３２から検出したデザインパーツを、それぞれ対応するグループ情報にリンクさせて、メニューパーツを作成して記憶部３２に記憶する。
【００７７】
図１２は、メニューパーツの作成例を示す図である。
【００７８】
図４に示すメニューパーツ作成画面４００において、「トップス」、「ボトムス」、「スーツ」、「シャツ」、「ネクタイ」、「アウター」、及び「雑貨」等のグループ情報が「男性用メニュー」として設定された場合には、図１２（ｂ）に示すような、男性用メニュー１２１０ａを表示する男性用メニューパーツ１２００ａが作成される。男性用メニュー１２１０ａにおいて、「トップス」のメニューには、そのグループに分類される商品「カットソー」、「Ｔシャツ」、及び「タンクトップ」等のデザインパーツへのリンクが、「シャツ」のメニューには、そのグループに分類される商品「レギュラー」及び「ボタンダウン」等のデザインパーツへのリンクが、それぞれ表示される。一方、図４に示すメニューパーツ作成画面４００において、「トップス」、「ボトムス」、「スカート」、「ワンピース」、「シャツ」、「アウター」、及び「雑貨」等のグループ情報が「女性用メニュー」として設定された場合には、図１２（ｂ）に示すような、女性用メニュー１２１０ｂを表示する女性用メニューパーツ１２００ｂが作成される。
【００７９】
これにより、事業者は、グループ情報をメニューとして登録するだけで、各パーツにリンクするメニューパーツを作成することができる。
【００８０】
図１０に示すデザインパーツ作成手段１０１０は、事業者が図５に示すパネルパーツ作成画面５００において複数のデザインパーツ５１０を、それぞれ任意の位置に配置した後、パネルパーツ作成アイコン５２０をクリックしたことに応答して、パネルパーツを作成して記憶部３２に記憶する。
【００８１】
図１３は、パネルパーツの作成例を示す図である。
【００８２】
図５に示すパネルパーツ作成画面５００において、「メニュー上バナー」、「男性用メニュー」、及び「メニュー下バナー」のデザインパーツ５１０が上から順に配置された場合には、図１３（ａ）に示す男性用パネルパーツ１３００ａが作成される。男性用パネルパーツ１３００ａには、メニュー上バナー１３１０、男性用メニュー１２１０ａ、及びメニュー下バナー１３２０が上から順に配置される。一方、図５に示すパネルパーツ作成画面５００において、「メニュー上バナー」、「女性用メニュー」、及び「メニュー下バナー」のデザインパーツ５１０が上から順に配置された場合には、図１３（ｂ）に示す女性用パネルパーツ１３００ｂが作成される。女性用パネルパーツ１３００ｂには、メニュー上バナー１３１０、女性用メニュー１２１０ｂ、及びメニュー下バナー１３２０が上から順に配置される。
【００８３】
これにより、事業者は、ＨＴＭＬタグを直接入力して作成する場合と何等異なることなく、デザインパーツの数や配置を任意に決定することで、新たなデザインパーツ（パネルパーツ）を作成することができる。また、デザインパーツ作成手段１０１０は、図５に示すパネルパーツ作成画面５００において、「メニュー上バナー」及び「メニュー下バナー」といった二つの共通のデザインパーツ５１０の間に、「男性用メニュー」又は「女性用メニュー」といった異なるデザインパーツ５１０を所謂入れ子状態に挿入することで、メニュー上バナー１３１０及びメニュー下バナー１３２０を共通に表示したまま、メニューが異なる二つのパネルパーツを容易に作成することができる。さらに、事業者は、フリーパーツ作成画面や図３に示すパターンパーツ作成画面３００において、共通に表示されるメニュー上バナー１３１０及びメニュー下バナー１３２０を編集することで、二つのパネルパーツを一括編集することができる。
【００８４】
図１０に示すデザインパーツ作成手段１０１０は、事業者が表示条件設定画面において設定したデザインパーツの表示条件を、そのデザインパーツに対応付けて記憶部３２に記憶する。本実施形態において、事業者は、フリーパーツ作成画面や図３に示すパターンパーツ作成画面３００において、会員ステージ毎に、優遇内容を記載したデザインパーツを作成する。そして、事業者は、表示条件設定画面において、優遇内容を記載したデザインパーツのそれぞれの表示条件として、対応する会員ステージを設定する。具体的に、ブロンズ会員向けの優遇内容「送料無料クーポン付与」を記載したデザインパーツには、表示条件として「ブロンズ会員」が設定される。また、シルバー会員向けの優遇内容「送料無料クーポン付与・お誕生月に５％割引クーポン付与」を記載したデザインパーツには、表示条件として「シルバー会員」が設定される。さらに、ゴールド会員向けの優遇内容「送料無料クーポン付与・お誕生月に１０％割引クーポン付与」を記載したデザインパーツには、表示条件として「ゴールド会員」が設定される。そして、会員登録をしていない一般消費者向けの優遇内容「会員登録いただくと、ご購入回数・金額にあわせてクーポンプレゼント」と記載したデザインパーツには、表示条件として「一般消費者」が設定される。
【００８５】
これまでは、ＥＣサイトのコンテンツ自体を商品や消費者の行動によって動的に変更させるために、ウェブブラウザ上で動作するスクリプトのプログラミングを伴う方法が多く採られていたが、これは知識のない事業者には大変難しいものであった。本実施形態に係るコンテンツ管理装置３によれば、事業者は、予め用意されている複数の項目のうちから、選択肢を選択したり、或いは数字を入力したりする等といった簡単な操作で表示条件を設定できるため、ＥＣサイトのコンテンツ自体を商品や消費者の行動によって動的に変更することを容易に実現することができる。
【００８６】
コンテンツ作成手段１０２０は、事業者が図６に示すテーマ一覧画面６００においてレイアウト設定アイコン６１１−ｋをクリックしたことに応答して、コンテンツ選択画面を表示するための画面表示データを、通信部３１からネットワークＮを介して事業者端末２−ｉに送信することで、事業者端末２−ｉのウェブブラウザ上に、コンテンツ選択画面を表示する。次に、コンテンツ作成手段１０２０は、事業者がコンテンツ選択画面においてレイアウトを変更するコンテンツを選択したことに応答して、そのコンテンツに対応したレイアウト設定画面７００を表示するための画面表示データを、通信部３１からネットワークＮを介して事業者端末２−ｉに送信することで、事業者端末２−ｉのウェブブラウザ上に、事業者が選択したコンテンツに対応した図７に示すレイアウト設定画面７００を表示する。そして、コンテンツ作成手段１０２０は、事業者がレイアウト設定画面７００においてシステムパーツ７１０及びデザインパーツ７２０を任意の位置に配置した後、コンテンツ作成アイコン７３０をクリックしたことに応答して、システムパーツ７１０及びデザインパーツ７２０を組み合わせて、ウェブページに表示するコンテンツを作成して記憶部３２に記憶する。
【００８７】
ここで、システムパーツ７１０は、事業者が独自に追加するデザインパーツ７２０とは異なり、事業者がフリーパーツ作成画面、パターンパーツ作成画面３００、メニュー作成画面４００、及びパネルパーツ作成画面５００等において任意に変更することができないようになっている。これにより、システムパーツ７１０が成立するための制御構造を、事業者が誤って変更してしまうといった事故を防ぐことができるとともに、システムパーツ７１０に対する将来の機能変更や追加が可能となる。なお、表示条件の設定等、変更されてもコンテンツ管理システム１の動作を保証することができる部分については、別途表示条件設定画面等を用意して変更できるように、コンテンツ管理システム１の機能として予め実装すればよい。
【００８８】
図１４は、レイアウトの変更例を示す図である。
【００８９】
図１４（ａ）に示すように、デフォルトでは、商品ページのレイアウト設定画面７００には、「商品名表示部７１１」、「商品価格表示部７１２」、「商品画像表示部７１３」、「商品バリエーション選択とカートに入れるボタン７１４」、及び「商品説明表示部７１５」等のシステムパーツ７１０のみが、上から順に商品ページに表示されるように配置されている。そして、商品ページのレイアウト設定画面７００において、デフォルトのシステムパーツ７１０の配置順が変更されるとともに、システムパーツ７１０の間にデザインパーツ７２０が配置されることで、例えば、図１４（ｂ）に示すように、「商品補足情報表示部７２１」、「商品名表示部７１１」、「商品説明表示部７１５」、「商品価格表示部７１２」、「商品価格補足情報表示部７２２」、「商品バリエーション選択とカートに入れるボタン７１４」、「商品注文補足情報表示部７２３」、及び「商品画像表示部７１３」が、上から順に商品ページに表示されるように配置が変更される。
【００９０】
このように、レイアウト設定画面７００においては、システムパーツ７１０も、デザインパーツ７２０と同列に配置されるため、システムパーツ７１０を安全に、且つデザインパーツ７２０と合わせて配置することができる。この結果、特にレイアウトに対する変更要求が強いと思われる商品ページにおいては、システムパーツ７１０及びデザインパーツ７２０を任意の位置に配置することで、商品ページのレイアウトを事業者の任意に変更可能となる。これにより、事業者は、ＨＴＭＬタグ及びＣＳＳといった記述方法を理解していなくても、表示部２１のＧＵＩを利用して、複数のシステムパーツ７１０及びデザインパーツ７２０を任意の位置に配置し、コンテンツを作成することができる。また、システムパーツ７１０が予め分割されているため、事業者が配置を考えやすく、且つ変更しやすくなっている。さらに、システムパーツ７１０の間に、デザインパーツ７２０を配置できるため、用例として、システムパーツ７１０に記載された内容を補足する内容の表示が容易になる。また、このようなレイアウト変更機能により、配置を変更できるだけでなく、色や枠線等を付与するデザイン処理の自由度を広げることができる。
【００９１】
また、レイアウト設定画面７００において、それぞれ表示条件として異なる会員ステージが設定された優遇内容の異なるデザインパーツが並べて配置された場合には、消費者の会員ステージに応じて異なる優遇内容を表示する商品ページが作成される。このように、事業者は、レイアウト設定画面７００において表示条件が異なるデザインパーツを並べて配置するといった簡単な条件設定で、消費者の会員ステージに応じて異なる優遇内容を表示するといった条件分岐を実現することができる。
【００９２】
図１０に示すデバイス設定手段１０３０は、事業者が図６に示すテーマ一覧画面６００においてデバイス設定アイコン６２０をクリックしたことに応答して、デバイス設定画面８００を表示するための画面表示データを、通信部３１からネットワークＮを介して事業者端末２−ｉに送信することで、事業者端末２−ｉのウェブブラウザ上に、図８に示すデバイス設定画面８００を表示する。デバイス設定手段１０３０は、デバイス設定画面８００において、事業者がスマートフォン設定タブ８１０で選択したテーマを、デバイスがスマートフォンのときに表示するコンテンツのテーマとして設定し、タブレット設定タブ８２０で選択したテーマを、タブレットコンピュータのときに表示するコンテンツのテーマとして設定し、ＰＣ設定タブ８３０で選択したテーマを、パーソナルコンピュータのときに表示するコンテンツのテーマとして設定する。
【００９３】
コンテンツ表示手段１０４０は、消費者端末４−ｊがネットワークＮを介してＥＣサイトへアクセスしたことに応答して、その消費者端末４−ｊが、スマートフォン、タブレットコンピュータ、及びパーソナルコンピュータのいずれのデバイスであるかを判別する。そして、コンテンツ表示手段１０４０は、消費者端末４−ｊがスマートフォンであると判別した場合、スマートフォン設定タブ８１０に設定されたテーマのコンテンツを表示するための画面表示データを通信部３１からネットワークＮを介して消費者端末４−ｊに送信する。一方、コンテンツ表示手段１０４０は、消費者端末４−ｊがタブレットコンピュータであると判別した場合、タブレット設定タブ８２０に設定されたテーマのコンテンツを表示するための画面表示データを通信部３１からネットワークＮを介して消費者端末４−ｊに送信する。他方、コンテンツ表示手段１０４０は、消費者端末４−ｊがパーソナルコンピュータであると判別した場合、ＰＣ設定タブ８３０に設定されたテーマのコンテンツを表示するための画面表示データを通信部３１からネットワークＮを介して消費者端末４−ｊに送信する。
【００９４】
また、コンテンツ表示手段１０４０は、消費者端末４−ｊからネットワークＮを介して送信される商品ページ表示要求を通信部３１で受信したことに応答して、商品ページ表示要求から特定される消費者の会員ステージを会員情報ＤＢから特定する。そして、コンテンツ表示手段１０４０は、会員ステージに対応する優遇内容が記載された商品ページを表示するための画面表示データを通信部３１からネットワークＮを介して消費者端末４−ｊに送信する。
【００９５】
図１に示す消費者端末４−ｊは、例えば汎用のパーソナルコンピュータ、タブレットコンピュータ、又はスマートフォン等から構成され、消費者がＥＣサイトにアクセスするためのものである。
【００９６】
図１５は、消費者端末の構成例を示すブロック図である。
【００９７】
図１５に示すように、消費者端末４−ｊは、タッチパネル４１と、通信部４２と、制御部４３と、を備え、これらはバス等を介して接続されている。
【００９８】
タッチパネル４１は、例えば液晶表示装置とポインティングデバイスとを組み合わせた汎用のタッチパネル等から構成されている。タッチパネル４１は、各種画面を表示するとともに、消費者による各種操作を受け付ける。本実施形態において、消費者は、タッチパネル４１を操作して、ＥＣサイトにアクセスしたり、商品ページの表示を指示したりする。また、タッチパネル４１には、ウェブブラウザ上に商品ページ等が表示される。
【００９９】
通信部４２は、例えばＮＩＣ等の汎用の通信装置を含んで構成される。本実施形態において、通信部４２は、コンテンツ管理装置３からネットワークＮを介して送信される管理画面を表示するための画面表示データ等を受信したり、商品ページの表示を要求する商品ページ表示要求をネットワークＮを介して送信したりする。
【０１００】
制御部４３は、例えばＣＰＵ、ＲＯＭ、及びＲＡＭ等から構成されている。ＣＰＵは、ＲＡＭをワークメモリとして用いて、ＲＯＭに記憶されている各種プログラム等を適宜実行することにより、消費者端末４−ｊの各部の動作を制御する。
【０１０１】
本実施形態において、制御部４３は、通信部４２からネットワークＮを介してＥＣサイトにアクセスする。そして、制御部４３は、コンテンツ管理装置３からネットワークＮを介して送信される画面表示データを通信部４２で受信したことに応答して、画面表示データに基づくコンテンツをウェブブラウザ上に表示する。具体的に、制御部４３は、消費者端末４−ｊがスマートフォンである場合、スマートフォン設定タブ８１０に設定されたテーマのコンテンツを、ウェブブラウザ上に表示する。一方、制御部４３は、消費者端末４−ｊがタブレットコンピュータである場合、タブレット設定タブ８２０に設定されたテーマのコンテンツを、ウェブブラウザ上に表示する。他方、制御部４３は、消費者端末４−ｊがパーソナルコンピュータである場合、ＰＣ設定タブ８３０に設定されたテーマのコンテンツを表示する。例えば、スマートフォン設定タブ８１０にスマートフォン用テーマが、タブレット設定タブ８２０にタブレット用テーマが、ＰＣ設定タブ８３０にＰＣ用テーマが、それぞれ設定されていた場合、消費者端末４−ｊのウェブブラウザ上には、各デバイスに対応したコンテンツが表示される。これに対して、スマートフォン設定タブ８１０、タブレット設定タブ８２０、及びＰＣ設定タブ８３０のいずれにも共通利用テーマが設定されている場合、消費者端末４−ｊのウェブブラウザ上には、各デバイスに共通したコンテンツが表示される。
【０１０２】
制御部４３は、消費者がタッチパネル４１で商品ページの表示を指示したことに応答して、その消費者を特定可能な商品ページ表示要求を、通信部４２からネットワークＮを介してコンテンツ管理装置３に送信する。そして、制御部４３は、コンテンツ管理装置３からネットワークＮを介して送信される画面表示データを通信部４２で受信したことに応答して、画面表示データに基づいて、消費者の会員ステージに対応する優遇内容が記載された商品ページをウェブブラウザ上に表示する。具体的に、消費者の会員ステージがブロンズ会員である場合、ウェブブラウザ上には、ブロンズ会員向けの優遇内容「送料無料クーポン付与」が記載された商品ページが表示される。一方、消費者の会員ステージがシルバー会員である場合、ウェブブラウザ上には、シルバー会員向けの優遇内容「送料無料クーポン付与・お誕生月に５％割引クーポン付与」が記載された商品ページが表示される。他方、消費者の会員ステージがゴールド会員である場合、ウェブブラウザ上には、ゴールド会員向けの優遇内容「送料無料クーポン付与・お誕生月に１０％割引クーポン付与」が記載された商品ページが表示される。また、消費者が会員登録をしていない一般消費者である場合、ウェブブラウザ上には、一般消費者向けの優遇内容「会員登録いただくと、ご購入回数・金額にあわせてクーポンプレゼント」が記載された商品ページが表示される。なお、上記のパネルパーツの「入れ子」機能によって、複数階層の条件分岐を実現することもできる。
【０１０３】
次に、上記構成を備えるコンテンツ管理システムの動作について、図面を参照して説明する。
【０１０４】
図１６は、コンテンツ管理処理の一例を示すフローチャートである。
【０１０５】
図１６に示すコンテンツ管理処理において、デザインパーツ作成手段１０１０は、事業者がフォーマット選択画面において複数種類のフォーマットのうちから、デザインパーツの作成に利用するフォーマットを選択したことに応答して、パターンパーツ作成処理を開始する（ステップＳ１６１）。
【０１０６】
図１７は、パターンパーツ作成処理の詳細を示すフローチャートである。
【０１０７】
図１７に示すパターンパーツ作成処理において、デザインパーツ作成手段１０１０は、まず、事業者端末２−ｉのウェブブラウザ上に、事業者が選択したフォーマットに対応した図３に示すパターンパーツ作成画面３００を表示する（ステップＳ１７１）。
【０１０８】
次に、デザインパーツ作成手段１０１０は、事業者がパターンパーツ作成画面３００においてデザインパーツの名称、見出し、本文、リンク先、及びグループ情報等を、それぞれ対応するテキストボックス３１０に入力するとともに、画像ボックス３２０でウェブページに表示する画像を選択した後、デザインパーツ作成アイコン３３０をクリックしたことに応答して（ステップＳ１７２；Ｙｅｓ）、デザインパーツを作成する（ステップＳ１７３）。
【０１０９】
そして、デザインパーツ作成手段１０１０は、ステップＳ１７３において作成したデザインパーツを記憶部３２に記憶してから（ステップＳ１７４）、パターンパーツ作成処理を終了する。
【０１１０】
また、図１６に示すコンテンツ管理処理において、デザインパーツ作成手段１０１０は、事業者が図４に示すメニューパーツ作成画面４００においてグループ情報をメニュー４１０として設定した後、メニューパーツ作成アイコン４２０をクリックしたことに応答して、メニューパーツ作成処理を開始する（ステップＳ１６２）。
【０１１１】
図１８は、メニューパーツ作成処理の詳細を示すフローチャートである。
【０１１２】
図１８に示すメニューパーツ作成処理において、デザインパーツ作成手段１０１０は、まず、事業者が設定したグループ情報毎に、そのグループ情報が登録されているデザインパーツを記憶部３２から検出する（ステップＳ１８１）。
【０１１３】
次に、デザインパーツ作成手段１０１０は、ステップＳ１８１において検出したデザインパーツを、それぞれ対応するグループ情報にリンクさせて、メニューパーツを作成する（ステップＳ１８２）。
【０１１４】
そして、デザインパーツ作成手段１０１０は、ステップＳ１８２において作成したメニューパーツを記憶部３２に記憶してから（ステップＳ１８３）、メニューパーツ作成処理を終了する。
【０１１５】
さらに、図１６に示すコンテンツ管理処理において、デザインパーツ作成手段１０１０は、事業者が図５に示すパネルパーツ作成画面５００において複数のデザインパーツ５１０を、それぞれ任意の位置に配置した後、パネルパーツ作成アイコン５２０をクリックしたことに応答して、パネルパーツを作成して記憶部３２に記憶するパネルパーツ作成処理を実行する（ステップＳ１６３）。
【０１１６】
そして、デザインパーツ作成手段１０１０は、事業者が表示条件設定画面において設定したデザインパーツの表示条件を、そのデザインパーツに対応付けて記憶部３２に記憶する表示条件設定処理を実行する（ステップＳ１６４）。
【０１１７】
また、コンテンツ作成手段１０２０は、事業者が図６に示すテーマ一覧画面６００においてレイアウト設定アイコン６１１−ｋをクリックしたことに応答して、事業者端末２−ｉのウェブブラウザ上に、コンテンツ選択画面を表示する。次に、コンテンツ作成手段１０２０は、事業者がコンテンツ選択画面においてレイアウトを変更するコンテンツを選択したことに応答して、事業者端末２−ｉのウェブブラウザ上に、事業者が選択したコンテンツに対応した図７に示すレイアウト設定画面７００を表示する。そして、コンテンツ作成手段１０２０は、事業者がレイアウト設定画面７００においてシステムパーツ７１０及びデザインパーツ７２０を任意の位置に配置した後、コンテンツ作成アイコン７３０をクリックしたことに応答して、システムパーツ７１０及びデザインパーツ７２０を組み合わせて、ウェブページに表示するコンテンツを作成して記憶部３２に記憶するコンテンツ作成処理を実行する（ステップＳ１６５）。
【０１１８】
さらに、デバイス設定手段１０３０は、事業者が図６に示すテーマ一覧画面６００においてデバイス設定アイコン６２０をクリックしたことに応答して、事業者端末２−ｉのウェブブラウザ上に、図８に示すデバイス設定画面８００を表示する。デバイス設定手段１０３０は、デバイス設定画面８００において、事業者がスマートフォン設定タブ８１０で選択したテーマを、デバイスがスマートフォンのときに表示するコンテンツのテーマとして設定し、タブレット設定タブ８２０で選択したテーマを、タブレットコンピュータのときに表示するコンテンツのテーマとして設定し、ＰＣ設定タブ８３０で選択したテーマを、パーソナルコンピュータのときに表示するコンテンツのテーマとして設定するデバイス設定処理を実行する（ステップＳ１６６）。
【０１１９】
その後、コンテンツ表示手段１０４０は、消費者端末４−ｊがネットワークＮを介してＥＣサイトへアクセスしたことに応答して、コンテンツ表示処理を開始する（ステップＳ１６７）。
【０１２０】
図１９は、コンテンツ表示処理の詳細を示すフローチャートである。
【０１２１】
図１９に示すコンテンツ表示処理において、コンテンツ表示手段１０４０は、まず、ＥＣサイトへアクセスした消費者端末４−ｊが、スマートフォン、タブレットコンピュータ、及びパーソナルコンピュータのいずれのデバイスであるかを判別する（ステップＳ１９１）。
【０１２２】
そして、コンテンツ表示手段１０４０は、消費者端末４−ｊがスマートフォンであると判別した場合（ステップＳ１９２；Ｙｅｓ）、スマートフォン設定タブ８１０に設定されたテーマのコンテンツを表示するための画面表示データを通信部２１からネットワークＮを介して消費者端末４−ｊに送信することで、消費者端末４−ｊのウェブブラウザ上に、スマートフォン設定タブ８１０に設定されたテーマのコンテンツを表示する（ステップＳ１９３）。
【０１２３】
一方、コンテンツ表示手段１０４０は、消費者端末４−ｊがタブレットコンピュータであると判別した場合（ステップＳ１９２；Ｎｏ、ステップＳ１９４；Ｙｅｓ）、タブレット設定タブ８２０に設定されたテーマのコンテンツを表示するための画面表示データを通信部２１からネットワークＮを介して消費者端末４−ｊに送信することで、消費者端末４−ｊのウェブブラウザ上に、タブレット設定タブ８２０に設定されたテーマのコンテンツを表示する（ステップＳ１９５）。
【０１２４】
他方、コンテンツ表示手段１０４０は、消費者端末４−ｊがパーソナルコンピュータであると判別した場合（ステップＳ１９４；Ｎｏ）、ＰＣ設定タブ８３０に設定されたテーマのコンテンツを表示するための画面表示データを通信部２１からネットワークＮを介して消費者端末４−ｊに送信することで、消費者端末４−ｊのウェブブラウザ上に、ＰＣ設定タブ８３０に設定されたテーマのコンテンツを表示する（ステップＳ１９６）。
【０１２５】
その後、コンテンツ表示手段１０４０は、消費者端末４−ｊからネットワークＮを介して送信される商品ページ表示要求を受信したことに応答して（ステップＳ１９７；Ｙｅｓ）、商品ページ表示要求から特定される消費者の会員ステージを会員情報ＤＢから特定する（ステップＳ１９８）。
【０１２６】
そして、コンテンツ表示手段１０４０は、ステップＳ１９８において特定した会員ステージに対応する優遇内容が記載された商品ページを表示するための画面表示データを通信部３１からネットワークＮを介して消費者端末４−ｊに送信することで、消費者端末４−ｊのウェブブラウザ上に、消費者の会員ステージに対応する優遇内容が記載された商品ページをウェブブラウザ上に表示してから（ステップＳ１９９）、コンテンツ表示処理を終了する。
【０１２７】
以上説明したように、本実施形態に係るコンテンツ管理装置３は、コンテンツの一部を構成するパーツを複数記憶する記憶部３２と、記憶部３２から選択され、それぞれ所望の位置に配置された複数のパーツを組み合わせて、コンテンツを作成するコンテンツ作成手段１０２０と、を備える。これにより、事業者は、ＨＴＭＬタグ及びＣＳＳといった記述方法について専門的な知識がなくても、複数のパーツを任意の位置に配置し、所望のレイアウトのコンテンツを簡単かつ安全に作成することができる。
【０１２８】
また、パーツは、コンテンツの表示に必須で、ユーザである事業者による編集が制限された必須パーツであるシステムパーツと、ユーザである事業者によって作成され、任意に追加可能な任意パーツであるデザインパーツと、を含んでいる。そして、コンテンツ作成手段１０２０は、所定の位置に配置されたシステムパーツを並べ替えるとともに、システムパーツの間にデザインパーツを配置して、コンテンツを作成する。これにより、システムパーツ７１０が成立するための制御構造を、事業者が誤って変更してしまうといった事故を防ぎつつ、所望のレイアウトのコンテンツを簡単かつ安全に作成することができる。
【０１２９】
さらに、コンテンツ管理装置３は、デザインパーツ作成手段１０１０をさらに備える。デザインパーツ作成手段１０１０は、予め用意された複数種類のフォーマットのうちから、選択されたフォーマットに対応したパターンパーツ作成画面３００を表示し、パターンパーツ作成画面３００において設定された内容に対応するデザインパーツを作成する。これにより、事業者は、ＨＴＭＬタグ及びＣＳＳといった記述方法に対する十分な知識や技術を持たない場合、あるいは、専門業者に発注する予算がない場合でも、フォーマットを選択したり、パターンパーツ作成画面３００において内容を設定したりする等といった簡単な操作で、デザインパーツを作成することができる。
【０１３０】
また、デザインパーツ作成手段１０１０は、デザインパーツが分類されるグループ情報をメニューとして設定するためのメニューパーツ作成画面４００を表示し、メニューパーツ作成画面４００において設定されたグループに分類されるデザインパーツを記憶部３２から検出し、検出したパーツをそれぞれ対応するグループにリンクさせて、グループをメニューとして表示する新たなデザインパーツ（メニューパーツ）を作成する。これにより、事業者は、グループをメニューとして登録するだけで、各デザインパーツにリンクするメニューページを作成することができる。
【０１３１】
さらに、デザインパーツ作成手段１０１０は、記憶部３２から選択され、それぞれ所望の位置に配置された複数のデザインパーツを組み合わせて、新たなデザインパーツ（パネルパーツ）を作成する。これにより、二つの共通のデザインパーツの間に、異なるデザインパーツを所謂入れ子状態に挿入することで、例えば、図１３に示すように、メニュー上バナー１３１０及びメニュー下バナー１３２０を共通に表示したまま、メニューが異なる二つの男性用パネルパーツ１３００ａ及び女性用パネルパーツ１３００ｂを容易に作成することができる。また、事業者は、共通に表示されるメニュー上バナー１３１０及びメニュー下バナー１３２０を編集することで、二つの男性用パネルパーツ１３００ａ及び女性用パネルパーツ１３００ｂを一括編集することができる。
【０１３２】
また、コンテンツ管理装置３は、デバイスの種類毎に、そのデバイスに表示するコンテンツを設定するデバイス設定手段（コンテンツ設定手段）１０３０と、コンテンツ作成手段１０２０によって作成したコンテンツを表示するコンテンツ表示手段１０４０と、をさらに備える。そして、コンテンツ表示手段１０４０は、消費者端末４−ｊからアクセスされたことに応答して、消費者端末４−ｊのデバイスの種類を特定し、特定したデバイスの種類に対応して設定されているコンテンツをデバイスに表示する。これにより、事業者は、デバイス毎にコンテンツを用意することも、デバイスに共通して利用する一のコンテンツのみを用意することもできる。
【０１３３】
さらに、コンテンツ作成手段１０２０は、商品ページの表示を指示した消費者の会員ステージが「ブロンズ会員」であるという表示条件（第１条件）に合致した場合に表示されるブロンズ会員向けの優遇内容を記載したデザインパーツ（第１任意パーツ）、及び「シルバー会員」であるという表示条件（第２条件）に合致した場合に表示されるシルバー会員向けの優遇内容を記載したデザインパーツ（第２任意パーツ）等を組み合わせて、コンテンツである商品ページを作成する。そして、コンテンツ表示手段１０４０は、商品ページの表示を指示した消費者の会員ステージが「ブロンズ会員」であるという表示条件（第１条件）に合致した場合、ブロンズ会員向けの優遇内容「送料無料クーポン付与」を記載したデザインパーツを商品ページに表示する。一方、コンテンツ表示手段１０４０は、商品ページの表示を指示した消費者の会員ステージが「シルバー会員」であるという表示条件（第２条件）に合致した場合、シルバー会員向けの優遇内容「送料無料クーポン付与・お誕生月に５％割引クーポン付与」を記載したデザインパーツを商品ページに表示する。このように、事業者は、表示条件が異なるデザインパーツを並べて配置するといった簡単な条件設定で、消費者の会員ステージに応じて異なる優遇内容を表示するといった条件分岐を実現することができる。
【０１３４】
なお、本発明は、上記の実施形態に限定されず、種々の変形、応用が可能である。以下、本発明に適用可能な上記の実施形態の変形態様について、説明する。
【０１３５】
上記の実施形態において、制御部３３のＣＰＵが実行するプログラムは、予めＲＯＭ等に記憶されていた。しかしながら、本発明は、これに限定されず、上述の処理を実行させるためのプログラムを、既存の汎用コンピュータに適用することで、上記の実施形態に係るコンテンツ管理装置３として機能させてもよい。
【０１３６】
このようなプログラムの提供方法は任意であり、例えばコンピュータが読取可能な記録媒体（フレキシブルディスク、ＣＤ（Compact Disc）−ＲＯＭ、ＤＶＤ（Digital Versatile Disc）−ＲＯＭ等）に格納して配布してもよいし、インターネット等のネットワーク上のストレージにプログラムを格納しておき、これをダウンロードさせることにより提供してもよい。
【０１３７】
また、上記の処理をＯＳとアプリケーションプログラムとの分担、又はＯＳとアプリケーションプログラムとの協働によって実行する場合には、アプリケーションプログラムのみを記録媒体やストレージに格納してもよい。また、搬送波にプログラムを重畳し、ネットワークを介して配信することも可能である。例えば、ネットワーク上の掲示板（ＢＢＳ：Bulletin Board System）に上記プログラムを掲示し、ネットワークを介してプログラムを配信してもよい。そして、このプログラムを起動し、ＯＳの制御下で、他のアプリケーションプログラムと同様に実行することにより、上記の処理を実行できるように構成してもよい。
【符号の説明】
【０１３８】
１      コンテンツ管理システム
２−ｉ  事業者端末
３      コンテンツ管理装置
４−ｊ  消費者端末
２１      表示部
２２      操作部
２３      通信部
２４      制御部
３１      通信部
３２      記憶部
３３      制御部
４１      タッチパネル
４２      通信部
４３      制御部
３００      パターンパーツ作成画面
３１０      テキストボックス
３２０      画像ボックス
３３０      デザインパーツ作成アイコン
４００      メニューパーツ作成画面
４１０      メニュー
４２０      メニューパーツ作成アイコン
５００      パネルパーツ作成画面
５１０      デザインパーツ
５２０      パネルパーツ作成アイコン
６００      テーマ一覧画面
６１０−ｋ  テーマ
６１１−ｋ  レイアウト設定アイコン
６２０      デバイス設定アイコン
７００      レイアウト設定画面
７１０      システムパーツ
７１１      商品名表示部
７１２      商品価格表示部
７１３      商品画像表示部
７１４      商品バリエーション選択とカートに入れるボタン
７１５      商品説明表示部
７２０      デザインパーツ
７２１      商品補足情報表示部
７２２      商品価格補足情報表示部
７２３      商品注文補足情報表示部
７３０      コンテンツ作成アイコン
８００      デバイス設定画面
８１０      スマートフォン設定タブ
８２０      タブレット設定タブ
８３０      ＰＣ設定タブ
１０１０      デザインパーツ作成手段
１０２０      コンテンツ作成手段
１０３０      デバイス設定手段
１０４０      コンテンツ表示手段
１１００      デザインパーツ
１１１０      見出し
１１２０      本文
１１３０      画像
１２００ａ    男性用メニューパーツ
１２００ｂ    女性用メニューパーツ
１２１０ａ    男性用メニュー
１２１０ｂ    女性用メニュー
１３００ａ    男性用パネルパーツ
１３００ｂ    女性用パネルパーツ
１３１０      メニュー上バナー
１３２０      メニュー下バナー
【図１】
2019204184.tif 000003
【図２】
2019204184.tif 000004
【図３】
2019204184.tif 000005
【図４】
2019204184.tif 000006
【図５】
2019204184.tif 000007
【図６】
2019204184.tif 000008
【図７】
2019204184.tif 000009
【図８】
2019204184.tif 000010
【図９】
2019204184.tif 000011
【図１０】
2019204184.tif 000012
【図１１】
2019204184.tif 000013
【図１２】
2019204184.tif 000014
【図１３】
2019204184.tif 000015
【図１４】
2019204184.tif 000016
【図１５】
2019204184.tif 000017
【図１６】
2019204184.tif 000018
【図１７】
2019204184.tif 000019
【図１８】
2019204184.tif 000020
【図１９】
2019204184.tif 000021
【手続補正書】
【提出日】令和1年9月20日(2019.9.20)
【手続補正１】
【補正対象書類名】明細書
【補正対象項目名】０００８
【補正方法】変更
【補正の内容】
【０００８】
上記の目的を達成するため、本発明の第１の観点に係るコンテンツ管理装置は、コンテンツの一部を構成するパーツを複数記憶する記憶部と、前記記憶部から選択され、それぞれ所望の位置に配置された複数のパーツを組み合わせて、前記コンテンツを作成するコンテンツ作成手段と、を備え、前記パーツは、前記コンテンツの表示に必須で、ユーザによる編集が制限された必須パーツと、前記ユーザによって作成され、任意に追加可能な任意パーツと、を含み、前記コンテンツ作成手段は、前記必須パーツの間に前記任意パーツを配置して、前記コンテンツを作成する、ことを特徴とする。
【手続補正２】
【補正対象書類名】明細書
【補正対象項目名】０００９
【補正方法】削除
【補正の内容】
【手続補正３】
【補正対象書類名】明細書
【補正対象項目名】００１６
【補正方法】変更
【補正の内容】
【００１６】
本発明の第２の観点に係るコンテンツ管理方法は、コンテンツの一部を構成するパーツを複数記憶する記憶部を備えるコンテンツ管理装置によるコンテンツ管理方法であって、前記記憶部から選択され、それぞれ所望の位置に配置された複数のパーツを組み合わせて、前記コンテンツを作成するコンテンツ作成ステップを備え、前記パーツは、前記コンテンツの表示に必須で、ユーザによる編集が制限された必須パーツと、前記ユーザによって作成され、任意に追加可能な任意パーツと、を含み、前記コンテンツ作成ステップは、前記必須パーツの間に前記任意パーツを配置して、前記コンテンツを作成する、ことを特徴とする。
【手続補正４】
【補正対象書類名】明細書
【補正対象項目名】００１７
【補正方法】変更
【補正の内容】
【００１７】
本発明の第３の観点に係るプログラムは、コンテンツの一部を構成するパーツを複数記憶する記憶部を備えるコンテンツ管理装置のコンピュータに、前記記憶部から選択され、それぞれ所望の位置に配置された複数のパーツを組み合わせて、前記コンテンツを作成するコンテンツ作成手順を実行させるためのプログラムであって、前記パーツは、前記コンテンツの表示に必須で、ユーザによる編集が制限された必須パーツと、前記ユーザによって作成され、任意に追加可能な任意パーツと、を含み、前記コンテンツ作成手順は、前記必須パーツの間に前記任意パーツを配置して、前記コンテンツを作成する、ことを特徴とする。
【手続補正５】
【補正対象書類名】特許請求の範囲
【補正対象項目名】全文
【補正方法】変更
【補正の内容】
【特許請求の範囲】
【請求項１】
コンテンツの一部を構成するパーツを複数記憶する記憶部と、
前記記憶部から選択され、それぞれ所望の位置に配置された複数のパーツを組み合わせて、前記コンテンツを作成するコンテンツ作成手段と、
を備え、
前記パーツは、前記コンテンツの表示に必須で、ユーザによる編集が制限された必須パーツと、前記ユーザによって作成され、任意に追加可能な任意パーツと、を含み、
前記コンテンツ作成手段は、前記必須パーツの間に前記任意パーツを配置して、前記コンテンツを作成する、
ことを特徴とするコンテンツ管理装置。
【請求項２】
前記コンテンツ作成手段は、所定の位置に配置された前記必須パーツを並べ替えるとともに、該必須パーツの間に前記任意パーツを配置して、前記コンテンツを作成する、
ことを特徴とする請求項１に記載のコンテンツ管理装置。
【請求項３】
予め用意された複数種類のフォーマットのうちから、選択された該フォーマットに対応した任意パーツ作成画面を表示し、該任意パーツ作成画面において設定された内容に対応する前記任意パーツを作成する第１任意パーツ作成手段をさらに備える、
ことを特徴とする請求項１又は２に記載のコンテンツ管理装置。
【請求項４】
前記任意パーツが分類されるグループをメニューとして設定するためのメニュー設定画面を表示し、該メニュー設定画面において設定された該グループに分類される該任意パーツを前記記憶部から検出し、該検出した任意パーツをそれぞれ対応するグループにリンクさせて、該グループをメニューとして表示する新たな任意パーツを作成する第２任意パーツ作成手段をさらに備える、
ことを特徴とする請求項１，２，又は３に記載のコンテンツ管理装置。
【請求項５】
前記記憶部から選択され、それぞれ所望の位置に配置された複数の任意パーツを組み合わせて、新たな任意パーツを作成する第３任意パーツ作成手段をさらに備える、
ことを特徴とする請求項１乃至４のいずれか１項に記載のコンテンツ管理装置。
【請求項６】
デバイスの種類毎に、該デバイスに表示するコンテンツを設定するコンテンツ設定手段と、
前記デバイスからアクセスされたことに応答して、該デバイスの種類を特定し、該特定したデバイスの種類に対応して設定されている前記コンテンツを前記デバイスに表示する第１コンテンツ表示手段と、
をさらに備えることを特徴とする請求項１乃至５のいずれか１項に記載のコンテンツ管理装置。
【請求項７】
前記コンテンツ作成手段によって作成した前記コンテンツを表示する第２コンテンツ表示手段をさらに備え、
前記コンテンツ作成手段は、第１条件に合致した場合に表示される第１任意パーツと、該第１条件とは異なる第２条件に合致した場合に表示される第２任意パーツと、を組み合わせて前記コンテンツを作成し、
前記第２コンテンツ表示手段は、前記第１条件に合致している場合、前記第１任意パーツを前記コンテンツに表示する一方で、前記第２条件に合致している場合、前記第２任意パーツを該コンテンツに表示する、
ことを特徴とする請求項１乃至６のいずれか１項に記載のコンテンツ管理装置。
【請求項８】
コンテンツの一部を構成するパーツを複数記憶する記憶部を備えるコンテンツ管理装置によるコンテンツ管理方法であって、
前記記憶部から選択され、それぞれ所望の位置に配置された複数のパーツを組み合わせて、前記コンテンツを作成するコンテンツ作成ステップを備え、
前記パーツは、前記コンテンツの表示に必須で、ユーザによる編集が制限された必須パーツと、前記ユーザによって作成され、任意に追加可能な任意パーツと、を含み、
前記コンテンツ作成ステップは、前記必須パーツの間に前記任意パーツを配置して、前記コンテンツを作成する、
ことを特徴とするコンテンツ管理方法。
【請求項９】
コンテンツの一部を構成するパーツを複数記憶する記憶部を備えるコンテンツ管理装置のコンピュータに、
前記記憶部から選択され、それぞれ所望の位置に配置された複数のパーツを組み合わせて、前記コンテンツを作成するコンテンツ作成手順を実行させるためのプログラムであって、
前記パーツは、前記コンテンツの表示に必須で、ユーザによる編集が制限された必須パーツと、前記ユーザによって作成され、任意に追加可能な任意パーツと、を含み、
前記コンテンツ作成手順は、前記必須パーツの間に前記任意パーツを配置して、前記コンテンツを作成する、
ことを特徴とするプログラム。